(57)【特許請求の範囲】
【請求項１】
挿通部の設けられた蓋と、ティーバッグの紐を吊り下げて支持するフックと、蓋の上部に設置された立体造形物を備えており、容器に蓋をしてティーバッグを抽出する際に、フックと挿入溝にティーバッグの紐を通し、ティーバッグの位置を容器に一時的に固定するティーバッグホルダー。
【請求項２】
前記立体造形物は動物、または人間、またはキャラクター、または遊具、または機具を模している請求項１に記載のティーバッグホルダー。
【発明の詳細な説明】
【技術分野】
【０００１】
この発明は、ティーバッグで紅茶やハーブティや緑茶を抽出する際、所定時間が経過するまでのあいだ、ティーバッグを容器に固定させながら、抽出時間を楽しむためのティーバッグホルダーに関するものである。
【背景技術】
【０００２】
従来、ユーザーが既に所有する容器にとりつけ、且つ挿通部の設けられた蓋と立体造形物によってティーバッグの吊り紐を容器に固定するティーバッグ専用のホルダーはなかった。
【先行技術文献】
【特許文献】
【０００３】
【特許文献１】特開２００８−９３３７２号公報
【特許文献２】特開２００６−２３０６４６号公報
【特許文献３】実用新案登録第３０３８２９３号
【発明の概要】
【発明が解決しようとする課題】
【０００４】
ティーバッグを使って紅茶や緑茶等を抽出する場合、次のような欠点があった。
（イ）ティーバッグを固定する器具は、ただ位置を固定するという機能や使用後の液ダレに関する機能のみで、挿通部の設けられた蓋によってティーバッグを容器に固定して紅茶等を蒸らし、かつ立体造形物によりティーバッグを固定することで抽出行為自体を楽しむものはなかった。
（ロ）容器に蓋をして抽出する場合には、蓋でティーバッグの紐を容器の縁に挟み込むため、容器の中央にティーバッグを固定して湯全体により均質に紅茶等を抽出することができなかった。
（ハ）特許文献１に見られるように、容器から独立したホルダーでは、容器を持って移動する際に、容器とホルダーそれぞれを両手で持って移動せねばならなかった。
（ニ）特許文献２に見られるように、容器にホルダーを取り付けた場合には、蒸らすための蓋を別途用意しなければならなかった。
（ホ）特許文献３に見られるように、容器と蓋がセットになっているティーバッグホルダーでは、ユーザーがすでに所有している容器に取り付けることはできなかった。
本発明は、以上のような欠点を解消するものである。
【課題を解決するための手段】
【０００５】
挿通部の設けられた蓋、ティーバッグの紐を吊り下げて支持するフック、立体造形物とで構成され、ユーザーが所有する容器に取り付けて、ティーバッグ抽出時にティーバッグを容器に固定することができる。
【発明の効果】
【０００６】
紅茶やハーブティや緑茶のティーバッグを抽出する際、茶葉を蒸らしながら抽出時間を立体造形物によって楽しむことができる効果を有する。
【０００７】
ユーザーが所有する容器でティーバッグを抽出中に容器を移動させる際、容器にとりつけられた本発明によって簡単に移動が可能になる。
【０００８】
ティーバッグを中央に固定することで、湯全体により均質に紅茶等を抽出することができる。
【図面の簡単な説明】
【０００９】
【図１】本発明の説明斜視図
【図２】本発明の使用説明のための斜視図
【図３】本発明の挿通部が中央開孔型の場合の説明斜視図
【図４】本発明で蓋が透明素材の場合の説明斜視図
【図５】本発明で立体造形物が他の形態Aの場合の説明斜視図
【図６】本発明で立体造形物が他の形態Bの場合の説明斜視図
【発明を実施するための形態】
【００１０】
以下、本発明の実施形態について、図面を参照しながら詳細に説明していく。なお、本発明の範囲は、以下の実施例や図示例に限定されるものではなく、幾多の素材や立体造形物の形状の変更及び変形が可能である。
【００１１】
図１は、本発明の説明斜視図である。立体造形物（１）に取り付けられたフック（２）および、蓋（３）がある。蓋（３）にはティーバッグの紐を通すための挿通部（４）が設けられている。陶器素材が用いられた立体造形物（１）と蓋（３）は接着され一体型となっており、フック（２）は錆を避けるためステンレス素材を用いる。
本発明は、以上のような構造で、これを使用するときは、図２に示すように、ユーザーが所有する容器（B）の上に蓋（３）を置き、ティーバッグの紐（A）をフック（２）に掛けることで、ティーバッグの位置を固定する。
【００１２】
図１の挿通部（４）は２mm程度のスリットでティーバッグの紐を通す最小限の太さに設定し、蓋（３）をすることによって、ティーバッグ抽出時に容器で蒸らしながらティーバッグを抽出することが可能であり、また最小限太さの挿通部によってティーバッグのタグ（Ｃ）を湯の中に落とさずにすむことができる。
【００１３】
図１の立体造形物（１）と蓋（３）は一体型でなく、それぞれ独立していて、抽出中に立体造形物（１）の位置を自由に動かすことができる形態も可能である。
【００１４】
図３は挿通部が中央開孔型の場合の説明斜視図である。挿通部は細いスリット状のものでなくても、中央開孔型挿通部（５）のように蓋の中央に穴を空ける、扇型の切り込みを入れるといった形状が可能である。
【００１５】
図４は蓋（６）をガラス・プラスチック・アクリル等の透明素材の場合の斜視図である。この場合には抽出中のティーバッグ（D）の抽出具合を蓋（６）をあけることなく確認することが可能である。
【００１６】
図５は立体造形物（７）が他の形態Aの場合の斜視図である。この場合はフック（８）が象の鼻になっており、ティーバッグの紐を象の鼻に掛けて使用する。フック（８）が立体造形物（７）と一体型になっており、単一素材での製作が可能である。
【００１７】
図６は立体造形物（９）が他の形態Bの場合の斜視図である。この場合はフック（１０）が滑車になっており、ティーバッグの紐を滑車に掛けて使用する。
【００１８】
本発明をすべて金型成型によるプラスチックやシリコン素材で製作した場合には、大量に生産することにより製造コストを押さえることができる。
【符号の説明】
【００１９】
１  ：立体造形物
２  ：釣り竿形状型フック
３  ：蓋
４  ：スリット型挿通部
５  ：中央開孔型挿通部
６  ：透明素材蓋  
７  ：象型立体造形物  
８  ：象鼻型フック  
９  ：滑車型立体造形物  
１０：滑車型フック  
Ａ  ：ティーバッグ紐  
Ｂ  ：容器
Ｃ  ：ティーバッグのタグ  
Ｄ  ：ティーバッグ
【要約】
【課題】ティーバッグを使って紅茶や緑茶を抽出する場合、ティーバッグの位置をただ固定するという機能や、使用後の液ダレに関する機能のみで、挿通部の設けられた蓋によってティーバッグの位置を固定し茶葉を蒸らしながら、立体造形物によってティーバッグの抽出行為自体を楽しむものはなかった。
【解決手段】挿通部（４）の設けられた蓋（３）、ティーバッグの紐を吊り下げて支持するフック（２）、立体造形物（１）とで構成され、ユーザーが所有する容器（B）に取り付けて、ティーバッグ抽出時にティーバッグを容器に固定し、立体造形物（１）によってティーバッグの抽出行為自体を楽しむことができる。
【選択図】図２【図１】
0005470646.tif 000002
【図２】
0005470646.tif 000003
【図３】
0005470646.tif 000004
【図４】
0005470646.tif 000005
【図５】
0005470646.tif 000006
【図６】
0005470646.tif 000007